(57)【要約】【課題】本発明は上下反転してウエアラブル端末グラスとレンズ、又は異なる２種類のレンズを使い分けることができ、レンズ等の中心高さに装着者の目の高さを合致させ、正視状態にして、目の疲れが減る上下反転可能な眼鏡状のフレームを提供することを目的とする。【解決手段】上下のレンズＡ，Ｂを保持するレンズ保持枠１と、該レンズ保持枠１を連結したブリッジ２と、レンズ保持枠１に取付けた４本のツル３,３’と、該ツル３,３’に連結した耳当部４,４’と、鼻に当接させてレンズ保持枠１を支持するために設けると共に上下対称に配置した鼻当部５,５’と、から構成し、且つ、耳当部４,４’を、レンズＡ，Ｂのそれぞれの中心高さ位置でツル３,３’に連結した構成とする。【選択図】図１
2019191387.tif 000002
【特許請求の範囲】
【請求項１】
上下に配置したレンズＡ，Ｂを保持する一対のレンズ保持枠（１）と、該一対のレンズ保持枠（１）を連結したブリッジ（２）と、前記レンズ保持枠（１）に取付けた折畳み可能な４本のツル（３）,(３’)と、該ツル（３）,(３’)の端部に連結した耳当部（４）,(４’)と、装着者の鼻に当接させて前記レンズ保持枠（１）を支持するために設けると共に上下対称に配置した鼻当部（５）,(５’)と、から少なくとも構成し、且つ、前記耳当部（４）,(４’)を、レンズＡ，Ｂのそれぞれの中心高さ位置で前記ツル（３）,(３’)に連結したことを特徴とする上下反転可能な眼鏡状のフレーム。
【請求項２】
前記ツル（３）,(３’)が、前記レンズ保持枠（１）の外側で且つ上下方向でレンズＡ，Ｂのそれぞれの中心高さ位置で水平に取付けられた請求項１記載の上下反転可能な眼鏡状のフレーム。
【請求項３】
前記ツル（３）,(３’)の一端が、レンズＡ，Ｂの境目の高さ位置の前記レンズ保持枠（１）に取付けられ、他端が上下に開かれ、且つ、前記ツル（３）の他端がレンズＢの中心高さ位置で前記耳当部（４）に連結されると共に前記ツル（３’）の他端がレンズＡの中心高さ位置で前記耳当部（４’）に連結された請求項１記載の上下反転可能な眼鏡状のフレーム。
【発明の詳細な説明】
【技術分野】
【０００１】
本発明は上下反転してウエアラブル端末グラスとレンズ、又は異なる２種類のレンズを使い分けることが出来る上下反転可能な眼鏡状のフレームに関する。
【背景技術】
【０００２】
眼鏡を上下反転可能とする基本構造としては、図７（ａ）に示すように、上下に異なるレンズＡ，Ｂを配置するレンズ保持枠（１）の中央高さで且つ外側にツル（３）を水平に配置させ、該ツル（３）の端部に連結すると共に上下対称に耳当部（４）,(４’）を配置させている。この場合、そのまま装着すると、レンズＡ，Ｂの境目に装着者の目の高さが来てレンズＡ，Ｂを使い分け出来ないため、鼻当部の高さを調節して、装着者の目の高さがレンズＡの中心高さに略合致するように調節しなければならなかった。その調節が完了すると、図７（ｂ）に示すように、レンズＡ，Ｂが前倒しの状態となり、これを使用すると、レンズの中心線（光軸）と装着者の視線が傾斜してずれてしまうため、不自然な見方、不自然な使い方となり、目の疲れを誘発し易かった。
【０００３】
尚、前記レンズＡ，Ｂ自体を上下反転する構成のものや、眼鏡自体を上下反転させ、且つ、ツル（３）を上下反転させて耳当部（４）も一緒に上下反転する構成のものなどが提案されている。例えば、特開平１０−２３２３７５号や実開昭５７-７９８１４７号等があるが、これらの提案のものは、必ず調節作業が必要であり、調節手段を用いずにレンズＡ，Ｂの中心線に視線を合致させることは困難であった。
【先行技術文献】
【特許文献】
【０００４】
【特許文献１】特開平１０−２３２３７５号公報
【特許文献２】実開昭５７-７９８１４７号公報
【発明の概要】
【発明が解決しようとする課題】
【０００５】
本発明は調節手段を用いず、単に上下反転してウエアラブル端末グラスとレンズ、又は異なる２種類のレンズを使い分けることが出来ると共に、レンズなどの中心線（光軸）を装着者の目の高さ（或いは視線）に合致させて、正視する自然な状態にさせることで、眼の疲れが軽減されると共にウエアラブル端末グラスを用いた他の多くの用途が可能となる上下反転可能な眼鏡状のフレームを提供することを目的とする。
【課題を解決するための手段】
【０００６】
本発明は上記現状に鑑みて成されたものであり、つまり、上下に配置したレンズＡ，Ｂなどを保持する一対のレンズ保持枠と、該一対のレンズ保持枠を連結するブリッジと、レンズ保持枠に取付けて配置した折畳み可能な４本のツルと、該ツルの端部に連結した耳当部と、装着者の鼻に当接させてレンズ保持枠を支持するために設けると共に上下対称に配置した鼻当部と、から少なくとも構成し、且つ、耳当部を、レンズＡ，Ｂのそれぞれの中心高さ位置でツルに連結させる構成とする。
【０００７】
また前記４本のツルを、レンズ保持枠の外側で且つ上下方向でレンズＡ，Ｂのそれぞれの中心高さ位置で水平に取付けると好ましい。また更に前記ツルの一端が、レンズＡ，Ｂの境目の高さ位置のレンズ保持枠に取付けられ、他端が上下に開かれ、且つ、一方のツルの他端がレンズＢの中心高さ位置で耳当部に連結されると共に他方のツルの他端がレンズＡの中心高さで耳当部に連結する構成としても良い。
【発明の効果】
【０００８】
請求項１のように上下に配置したレンズＡ，Ｂを保持する一対のレンズ保持枠（１）と、該一対のレンズ保持枠（１）を連結したブリッジ（２）と、レンズ保持枠（１）に取付けた折畳み可能な４本のツル（３）,(３’)と、該ツル（３）,(３’)の端部に連結した耳当部（４）,(４’)と、装着者の鼻に当接させてレンズ保持枠（１）を支持するために設けると共に上下対称に配置した鼻当部（５）,(５’)と、から少なくとも構成し、且つ、耳当部（４）,(４’)を、レンズＡ，Ｂのそれぞれの中心高さ位置でツル（３）,(３’)に連結することにより、上下反転してウエアラブル端末グラスとレンズ、又は異なる２種類のレンズを使い分けることが出来るため、レンズＡとレンズＢの切換えが極めて短時間で行え、使い勝手が極めて良いものとなる。特にレンズＡの眼鏡とレンズＢの眼鏡の２種類が、上辺同士を固定したような眼鏡と略同様な使用が可能となるため、レンズＡの眼鏡とレンズＢの眼鏡を使い分けて単独の眼鏡として使用する状態と略同一の感覚となり、反転しても装着者の目の高さ位置がズレないので、極めて見え易いものとなる。更にレンズの中心と装着者の目の高さ位置が合致するので、レンズの使用範囲（視線の移動範囲）が広がり、且つ、物を見る場合、正視する自然状態となり、眼精疲労の軽減が可能なものとなる。しかも従来品の如く調節や微調節することがないので、取扱いが極めて簡単である。
【０００９】
請求項２のようにツル（３）,(３’)を、レンズ保持枠（１）の外側で且つ上下方向でレンズＡ，Ｂのそれぞれの中心高さ位置で水平に取付けると共に耳当部（４）,(４’)も取付けることにより、耳当部（４）,(４’)がレンズＡ，Ｂのそれぞれの中心高さと同じ高さ位置に合致でき、装着者の目の高さがレンズＡとレンズＢの一方の中心高さに合致するので、レンズの使用範囲（視線の移動範囲）が広がるものとなる。また物を見る場合、正視する自然状態となり、眼精疲労の軽減が可能なものとなる。更に従来品の如くツル（３）,(３’)や鼻当部（５）,(５’)を動かすことなく、レンズ保持枠（１）のみを上下反転するだけで、レンズＡとレンズＢの使い分けが迅速に且つ確実に行えると共に、上下反転しても装着者の目の高さ位置がズレないので、極めて見え易いものとなる。特に、装着者の目の高さ位置を下方のレンズの中心高さ位置に合致させることにより、上方にレンズを伸ばして大きくすることが可能となるため、図６に示すようなウエアラブル端末グラスを使用した際など、その表示部を大きくさせて見易くすることが出来る。尚、図７に示すような従来品は、装着者の目の高さ位置が上方のレンズの中心高さ位置に略合致させているため、上方にレンズを伸ばして大きくすると、上下反転して使用する際に、上方に伸ばした部分が頬などの顔面に当ってしまうため、本願の図６ようにレンズを上方に伸ばすことが出来なかった。
【００１０】
請求項３に示すようにツル（３）,(３’)の一端を、レンズＡ，Ｂの境目の高さ位置のレンズ保持枠（１）に取付け、他端が上下に開かれ、且つ、該ツル（３）の他端がレンズＢの中心高さ位置で耳当部（４）に連結されると共にツル（３’）の他端がレンズＡの中心高さ位置で耳当部（４’)に連結されることにより、請求項２と同様の効果が得られる。
【図面の簡単な説明】
【００１１】
【図１】本発明の実施形態を示す説明図である。
【図２】本発明の別実施形態を示す説明図である。
【図３】本発明のツルと耳当部の取付け状態を示す説明図である。
【図４】本実施形態の作用を示す説明図である。
【図５】別実施形態の作用を示す説明図である。
【図６】上方へ伸ばして大きくしたウエアラブル端末グラスとレンズを使用する場合の使用方法を示す説明図である。
【図７】眼鏡を上下反転可能とする基本構造を示す説明図である。
【発明を実施するための形態】
【００１２】
本発明の実施形態を図１に基づいて説明する。（１）は上下に配置した２種類のレンズＡ，Ｂを保持する一対のレンズ保持枠であり、該レンズ保持枠（１）はレンズＡ，Ｂの外周を図中の如く囲っているが、これに限定するものではない。またレンズ保持枠（１）の外側で且つレンズＡの中心高さ位置にはツル取付部（11’）が、レンズＢの中心高さ位置にはツル取付部（11）が、図３（ａ）のように設けられている。
尚、前記レンズ保持枠（１）に、ウエアラブル端末グラスとレンズを図６に示すように保持させると良い。また異種類のレンズとしては、凹レンズ，凸レンズ，板ガラス（素通しや偏光板），色付きガラス（サングラスなど）などを用いるのが好ましい。またレンズの形状としては、図１、図２の図中に示す略四角形に限定されるものではなく、例えば円形，楕円形や他の形状でも良い。またレンズＡ，Ｂは個別でなく、１枚のレンズに一体化させたものとしても良い。尚、図中の一点鎖線はレンズの中心線（中心高さ）を示す。
【００１３】
（２）は一対のレンズ保持枠（１）を略中央高さで連結したブリッジであり、該ブリッジ（２）の連結位置は、レンズ保持枠（１）の略中央高さに限定されるものではない。
【００１４】
（３）,(３’)はレンズ保持枠（１）の外側で且つ上下方向でレンズＡ，Ｂのそれぞれの中心高さ位置で水平に取付けられた折畳み可能な４本のツルであり、該ツル（３）の基部は図３（ａ）に示す下方のツル取付部（11）に取付けられ、ツル (３’) の基部は、上方のツル取付部（11’）に取付けられている。
【００１５】
（４）,(４’)は、ツル（３）,(３’)の端部に連結した略への字状の耳当部であり、該耳当部（４）,(４’)には、ツル（３）,(３’)の端部に連結する連結部（41）,(41’)と、略への字状の端部（42）,(42’)とがある。また前記耳当部（４）の連結部（41）は、レンズＢの中心高さと同じ高さ位置で下方のツル（３）と連結されると共に耳当部（４）の端部（42）が下方へ向くように連結されている［図３（ａ）参照］。一方、耳当部(４’) の連結部（41’)は、レンズＡの中心高さと同じ高さ位置で上方のツル（３’)と連結されると共に耳当部(４’)の端部（42’)が上方へ向くように連結されている［図３（ａ）参照］。
【００１６】
（５）,(５’)は、使用する際に装着者の鼻に当接させてレンズ保持枠（１）を支持するために設けると共に上下対称に配置した鼻当部であり、該鼻当部（５）,(５’)は眼鏡が装着された時には、耳当部（４）,(４’)の連結部（41）,(41’)が、図３に示すようにレンズＡ，Ｂのそれぞれの中心高さと同じ高さ位置に配置される。
【００１７】
図２は本発明の別実施形態を示す図であり、これは前記実施形態に比べ、ツル（３）,(３’)の取付け状態が異なるが、他は同じである。前記ツル（３）,(３’)の取付け状態を図３（ｂ）に基づいて詳細に説明すると、レンズ保持枠（１）に設けたツル取付部（11）は、レンズＡ，Ｂの境目位置に１つだけ設けられている。
また前記ツル（３）,(３’)の一端は、レンズＡ，Ｂの境目の高さ位置のレンズ保持枠（１）のツル取付部（11）に取付けられ、他端が上下に開かれている。また前記ツル（３）の他端はレンズ保持枠（１）の中央高さからレンズＢの中心高さ（図中の中心線の高さ）まで右下がりに配置され、ツル(３’) の他端はレンズ保持枠（１）の中央高さからレンズＡの中心高さ（図中の中心線の高さ）まで右上がりに配置されている。更に、レンズＢの中心高さ位置で耳当部（４）にツル（３）の他端が連結されると共にレンズＡの中心高さ位置で耳当部（４’)にツル（３’） の他端が連結されている。この時、前記ツル（３）,(３’)に連結した耳当部（４）,(４’)の連結部（41）,(41’)の位置（高さと状態）は、図３（ａ）と同じである。又、前記ツル（３）,(３’)は、別々に折畳み可能である。
【００１８】
次に本実施形態の作用を図４に基づいて説明する。本発明の４本のツル（３）,(３’)は、レンズＡ，Ｂの境目から上下方向に平行移動させて、レンズＡ，Ｂのそれぞれの中心高さ位置まで移動させることにより、装着者の目の高さ位置がレンズＡ，Ｂのそれぞれの中心高さ（中心線）に合致されることが可能となった。先ず始めに（ａ）の状態で眼鏡を掛けると、装着者の目の高さ位置とレンズＢの中心高さ（中心線）が合致しているので、物が非常に見易く、且つ、レンズＢの上下を有効に使用できるものとなる。その後、レンズＡを使用する時は、先ず眼鏡を外して全体を反転して装着すると、（ｂ）の状態となる。この時、上記レンズＢの時と同じようにレンズＡの中心高さが装着者の目の高さ位置と合致するので、物を見る時に正視できるため、目の疲れが軽減出来るものとなる。
【００１９】
次に別実施形態の作用を図５に基づいて説明する。本発明の４本のツル（３）,(３’)は、レンズＡ，Ｂの境目位置からツル（３）,(３’)の他端を上下に開き、且つ、ツル（３）の他端をレンズＢの中心高さ位置で耳当部（４）に連結させると共にツル（３’）の他端をレンズＡの中心高さ位置で耳当部（４’)に連結させることにより、装着者の目の高さ位置がレンズＡ，Ｂのそれぞれの中心高さ（中心線）に合致されることが可能となった。先ず始めに（ａ）の状態で眼鏡を掛けると、装着者の目の高さ位置とレンズＢの中心高さ（中心線）が合致し、物が非常に見易く、且つ、レンズＢの上下を有効に使用できるものとなる。その後、レンズＡを使用する時は、先ず眼鏡を外し、全体を反転させて装着すると、（ｂ）の状態となる。この時、上記レンズＢの時と同じようにレンズＡの中心高さが装着者の目の高さ位置と合致するので、物を見る時に正視できるため、目の疲れが激減出来るものとなる。
【００２０】
図６は上方へ伸ばして大きくしたウエアラブル端末グラスとレンズＢを使用する場合の使用方法を示す図であり、これについて説明する。上方へ伸ばして大きくしたウエアラブル端末グラスの表示部を広くした状態で装着すると、（ａ）の状態となるので、装着者の目の高さ位置とレンズＢの中心高さ（中心線）が合致し、物が非常に見易い状態となる。その後、ウエアラブル端末グラスを使用する時は、先ず眼鏡を外し、全体を反転させて装着すると、（ｂ）の状態となる。この状態に於いて、装着者の目の高さは広い表示部の中心高さ（中心線）と合致しているので、表示部の広い範囲を見ることが出来る。この時、図７に示す従来品の上方のレンズを伸ばして大きくすると、反転した際に上方に伸びたレンズ保持枠（１）が装着者の頬などに当り、レンズの中心線に目の高さ位置を合せることが不可能になると共にレンズが傾斜してしまう。
【００２１】
このように、本発明品を用いれば、別々の眼鏡を用意しなくても簡単に２種類のレンズ類が、それぞれ単独状態で使用できるものとなる。つまり、遠近両用眼鏡として、近視用レンズとウエアラブル端末グラスを用いて作業用眼鏡として、ウエアラブル端末グラスと拡大用レンズを用いて精密な組立作業や精密部品の製造作業用眼鏡として、近視用レンズとサングラスを用いてレジャー用眼鏡として、ウエアラブル端末グラスを用いたレジャー用眼鏡として、など多くの用途が可能となる。
【００２２】
尚、前記作業用眼鏡の使用例として、ウエアラブル端末グラスに作業工程上の情報などを表示させ、それを見ながら作業を行えれば、確実な作業となり、品質の向上が可能となる。またウエアラブル端末グラスに作業工程上の情報などを表示させ、それを見ながら作業を行うと共に、拡大用レンズを適宜に使用することにより、精密な組立作業や精密部品の製造作業等がスムーズに行えるものとなる。更に前記レジャー用眼鏡の使用例として、ウエアラブル端末グラスに、あらすじや登場人物及びそれらの解説などを表示させることにより、映画館や劇場等のレジャー施設に於いては、客をより一層楽しませることが可能なものとなり、集客手段として有効なものとなる。
【符号の説明】
【００２３】
１  レンズ保持枠
２  ブリッジ
３,３’  ツル
４,４’  耳当部
41,41’  連結部
42,42’  端部
５,５’  鼻当部
【図１】
2019191387.tif 000003
【図２】
2019191387.tif 000004
【図３】
2019191387.tif 000005
【図４】
2019191387.tif 000006
【図５】
2019191387.tif 000007
【図６】
2019191387.tif 000008
【図７】
2019191387.tif 000009